(57)【要約】【課題】両面表示方式であっても複数の表示部におけるコントラストや画像視覚性に優れた電気光学装置、および、その電気光学装置を含む電子機器を提供する。【解決手段】一体的な電気光学素子と、その両面に設けられた複数組の一対の偏光子と、複数の光源と、を含むとともに、当該一体的な電気光学素子を介して表裏関係を満足するように、第１の表示部および第２の表示部を含む複数の表示部を設けた両面表示方式の電気光学装置において、第１の表示部に対応する電気光学素子の表側に第１の偏光子、裏側に第２の偏光子をそれぞれ設けるとともに第２の表示部に対応する電気光学素子の表側に第１の偏光子、裏側に第２の偏光子をそれぞれ設け、かつ、電気光学素子の表側および裏側にそれぞれ設けられた第１の偏光子と、第２の偏光子との間隙、あるいはいずれか一方の間隙を遮光する。【選択図】　図１
2004109817.tif 000002
【特許請求の範囲】
【請求項１】
一体的な電気光学素子と、その両面に設けられた複数組の一対の偏光子と、複数の光源と、を含むとともに、当該一体的な電気光学素子を介して表裏関係を満足するように、第１の表示部および第２の表示部を含む複数の表示部を設けた両面表示方式の電気光学装置において、
前記第１の表示部に対応する電気光学素子の表側に第１の偏光子、裏側に第２の偏光子をそれぞれ設けるとともに、
第２の表示部に対応する電気光学素子の表側に第１の偏光子、裏側に第２の偏光子をそれぞれ設け、かつ、
前記電気光学素子の表側および裏側にそれぞれ設けられた第１の偏光子と、第２の偏光子との間隙、あるいはいずれか一方の間隙を、遮光したことを特徴とする両面表示方式の電気光学装置。
【請求項２】
前記第１の表示部および前記第２の表示部に対応する電気光学素子の裏側にそれぞれ設けてある光源のいずれか一方を、除去するか、あるいは点灯しないことを特徴とする請求項１に記載の両面表示方式の電気光学装置。
【請求項３】
前記電気光学素子の表側および裏側にそれぞれ設けられた第１の偏光子と、第２の偏光子との間隙を０．５〜２０ｍｍの範囲内の値とすることを特徴とする請求項１または２に記載の両面表示方式の電気光学装置。
【請求項４】
前記電気光学素子の表側および裏側にそれぞれ設けられた第１の偏光子と、第２の偏光子との間隙を、異ならしめることを特徴とする請求項１〜３に記載の両面表示方式の電気光学装置。
【請求項５】
前記一体的な電気光学素子において、前記電気光学素子の表側および裏側にそれぞれ設けられた第１の偏光子と、第２の偏光子との間隙に対応する位置に、遮光部材を設けることを特徴とする請求項１〜４に記載の両面表示方式の電気光学装置。
【請求項６】
前記光源がエレクトロルミネッセンス素子または発光ダイオードであることを特徴とする請求項１〜５に記載の両面表示方式の電気光学装置。
【請求項７】
前記光源の側方に、遮光部材が設けてあることを特徴とする請求項１〜６に記載の両面表示方式の電気光学装置。
【請求項８】
前記電気光学素子の表側および裏側にそれぞれ設けられた第１の偏光子と、第２の偏光子の厚さを実質的に等しくすることを特徴とする請求項１〜７のいずれか一項に記載の両面表示方式の電気光学装置。
【請求項９】
前記電気光学素子の表側および裏側にそれぞれ設けられた第１の偏光子または、第２の偏光子の厚さをそれぞれ異ならせることを特徴とする請求項１〜７のいずれか一項に記載の両面表示方式の電気光学装置。
【請求項１０】
請求項１〜９に記載された両面表示方式の電気光学装置と、当該電気光学装置を制御するための制御手段と、を備えることを特徴とする電子機器。
【発明の詳細な説明】
【０００１】
【発明の属する技術分野】
本発明は両面表示方式の電気光学装置およびそれを用いた電子機器に関する。特に、両面表示方式であっても複数の表示部におけるコントラストや画像視覚性に優れた電気光学装置およびそれを用いた電子機器に関する。
【０００２】
【従来の技術】
携帯電話等の普及に伴い、両面表示方式の電気光学装置（液晶表示装置等）およびそれを用いた電子機器が各種提案されている。
例えば、表裏両面に観測面（画像表示部）を設けた液晶表示装置であって、特定の照明装置を有する液晶表示装置がある。より具体的には、図１３に示すように、液晶表示素子を挟んで互いに対向する一対の基板４１０、４４０からなる両面表示方式の液晶表示装置４００であって、一対の基板４１０、４４０の側面に照明手段４３６を設けたことを特徴とする液晶表示装置４００である。
【０００３】
また、表裏両面に観測面（画像表示部）を設けた液晶表示モジュールであって、薄型化を可能にした液晶表示モジュールがある。より具体的には、図１４に示すように、液晶素子３１４を封止して、マトリクス配列した一対の液晶基板の表示部に第１の液晶表示パネル３１０及び第２の液晶表示パネル３２２を形成するとともに、液晶素子３１４を駆動するためのドライバＩＣ３２６を備えたフレキシブル基板３２７を導通接続し、第１及び第２の液晶表示パネルの観測面偏光子３１２、３２４を、一対の液晶基板に対して互いに表裏の関係として配置し、第１の液晶表示パネル３１０及び第２の液晶表示パネル３２２を一対の液晶基板に対して、互いに反対側としたことを特徴とする液晶表示モジュール３００である。
【０００４】
【特許文献１】
特開２０００−２０６５２３号　（第３−５頁、図１）
【特許文献２】
特開２００１−２１５４７５号　（第３−４頁、図１）
【０００５】
【発明が解決しようとする課題】
しかしながら、特許文献１に開示された液晶表示装置４００は、照明手段４３６として、一つの光源を側方に配置しているだけであるため、照明手段４３６からの光が複数の画像表示部まで、十分に届かないという問題が見られた。したがって、得られる画像の明るさが低下したり、コントラストが低下したりする場合が見られた。
【０００６】
また、特許文献２に開示された液晶表示装置３００は、一つの液晶光学素子を用いた場合であっても、一対の偏光子を表裏で貼り変えることにより両面表示を可能とするものであるが、観測面偏光子３１２、３１６の間から光が侵入して、得られる画像のコントラストが低下するという問題が見られた。
【０００７】
そこで、本発明の発明者らは鋭意検討した結果、複数の表示部に対応する電気光学素子の裏側に、光源をそれぞれ設けるとともに、電気光学素子の両面にそれぞれ設けられた複数の偏光子の間隙を遮光することによって、複数の表示部における画像の明るさを確保しつつ、電気光学素子の各面の偏光子の間隙からの光の侵入を防ぐことができることを見出し、本発明を完成させたものである。
すなわち、本発明の目的は、光源からの光漏れの影響を排除し、複数の表示部におけるコントラストや画像視覚性に優れた両面表示方式の電気光学装置およびそれを用いた電子機器を提供することにある。
【０００８】
【課題を解決するための手段】
本発明によれば、一体的な電気光学素子と、その両面に設けられた複数組の一対の偏光子と、複数の光源と、を含むとともに、当該一体的な電気光学素子を介して表裏関係を満足するように、第１の表示部および第２の表示部を含む複数の表示部を設けた両面表示方式の電気光学装置において、
第１の表示部に対応する電気光学素子の表側に第１の偏光子、裏側に第２の偏光子をそれぞれ設けるとともに、
第２の表示部に対応する電気光学素子の表側に第１の偏光子、裏側に第２の偏光子をそれぞれ設け、かつ、
電気光学素子の表側および裏側にそれぞれ設けられた第１の偏光子と、第２の偏光子との間隙、あるいはいずれか一方の間隙を、遮光した両面表示方式の電気光学装置が提供され、上述した問題点を解決することができる。
すなわち、このように構成することにより、複数の表示部における画像の明るさを確保するとともに、一対の偏光子の間隙からの光の侵入を効率的に防止することができ、複数の表示部を有する両面表示方式の電気光学装置において優れたコントラストや画像視覚性を得ることができる。
【０００９】
また、本発明の両面表示方式の電気光学装置を構成するにあたり、第１の表示部および第２の表示部に対応する電気光学素子の裏側にそれぞれ設けてある光源のいずれか一方を、除去するか、あるいは点灯しないことが好ましい。
このように構成することにより、一対の偏光子の間隙からの光の侵入を効率的に防止することができる。
【００１０】
また、本発明の両面表示方式の電気光学装置を構成するにあたり、電気光学素子の表側および裏側にそれぞれ設けられた第１の偏光子と、第２の偏光子との間隙を０．５〜２０ｍｍの範囲内の値とすることが好ましい。
このように構成することにより、一対の偏光子の間隙を効率的に遮光することができ、光の侵入を防止することができる。
【００１１】
また、本発明の両面表示方式の電気光学装置を構成するにあたり、電気光学素子の表側および裏側にそれぞれ設けられた第１の偏光子と、第２の偏光子との間隙を、異ならしめることが好ましい。
このように構成することにより、両面表示方式の電気光学装置を搭載する電子機器の形態に効率的に対応することができる。
【００１２】
また、本発明の両面表示方式の電気光学装置を構成するにあたり、一体的な電気光学素子において、電気光学素子の表側および裏側にそれぞれ設けられた第１の偏光子と、第２の偏光子との間隙に対応する位置に、遮光部材を設けることが好ましい。
このように構成することにより、一対の偏光子の間隙を効率的に遮光することができ、光の侵入を防止することができる。
【００１３】
また、本発明の両面表示方式の電気光学装置を構成するにあたり、光源がエレクトロルミネッセンス素子または発光ダイオードであることが好ましい。
このように構成することにより、光源からの光が、各画像表示部まで確実に届くために、各画像表示部において、画像の明るさを確保することができる。
【００１４】
また、本発明の両面表示方式の電気光学装置を構成するにあたり、光源の側方に、遮光部材が設けてあることが好ましい。
このように構成することにより、光源の間隙を効率的に遮光することができ、光の漏れを防ぐことができる。
【００１５】
また、本発明の両面表示方式の電気光学装置を構成するにあたり、電気光学素子の表側および裏側にそれぞれ設けられた第１の偏光子と、第２の偏光子の厚さを実質的に等しくすることが好ましい。
このように構成することにより、一対の偏光子の間隙をより効率的に遮光することができ、光の侵入を防止することができる。
【００１６】
また、本発明の両面表示方式の電気光学装置を構成するにあたり、電気光学素子の表側および裏側にそれぞれ設けられた第１の偏光子または、第２の偏光子の厚さをそれぞれ異ならせることが好ましい。
このように構成することにより、電気光学装置を搭載する電子機器の形態に効率的に対応することができる。
【００１７】
また、本発明の別の態様は、上述したいずれかの両面表示方式の電気光学装置と、当該電気光学装置を制御するための制御手段と、を備えることを特徴とする電子機器である。
このように構成することにより、複数の画像表示部における画像の明るさを確保するとともに、優れたコントラストや画像視覚性を得ることができる。
【００１８】
【発明の実施の形態】
以下、図面を参照して、本発明の電気光学装置、電気光学装置の製造方法、および電気光学装置を含む電子機器に関する実施形態について具体的に説明する。
ただし、かかる実施形態は、本発明の一態様を示すものであり、この発明を限定するものではなく、本発明の範囲内で任意に変更することが可能である。
【００１９】
［第１実施形態］
第１実施形態は、図１および図２に例示されるように、一体的な電気光学素子１４と、その両面に設けられた複数組の一対の偏光子１０、１２、２１、２２と、複数の光源（図示せず）と、を含むとともに、当該一体的な電気光学素子１４を介して表裏関係を満足するように、第１の表示部１５および第２の表示部２５をそれぞれ含む複数の表示部を設けた両面表示方式の電気光学装置１００であって、
第１の表示部１５に対応する電気光学素子の表側に第１の偏光子１２、裏側に第２の偏光子２２をそれぞれ設けるとともに、
第２の表示部２５に対応する電気光学素子の表側に第１の偏光子２１、裏側に第２の偏光子１０をそれぞれ設け、かつ、
電気光学素子１４の表側および裏側にそれぞれ設けられた第１の偏光子１２、２１と、第２の偏光子１０、２２との両方の間隙１１、あるいはいずれか一方の間隙を、遮光した両面表示方式の電気光学装置１００である。
【００２０】
以下、図１〜図７を適宜参照して、本発明の第１実施形態の電気光学装置について、液晶パネルを例に採って説明する。
なお、図１（ａ）および（ｂ）は、本発明に係る第１実施形態の液晶パネルの裏表を模式的に示す平面図であり、図２（ａ）および（ｂ）は、本発明に係る第１実施形態の液晶パネルの向きを変えて模式的に表した断面図である。また、図３は、遮光部材を模式的に表した斜視図であり、図４は、別の遮光部材を模式的に表した斜視図である。また、図５〜図６は、本発明に係る第１実施形態の液晶パネルの外観や構造を示す図である。さらに、図７は、本発明に係る第１実施形態の液晶パネルの部分拡大断面図である。
【００２１】
１．液晶パネルの基本構造
図５に示される電気光学装置を構成する液晶パネル２００は、いわゆる反射半透過方式のパッシブマトリクス型構造を有する液晶パネル２００であって、図示しないもののバックライトやフロントライト等の照明装置やケース体などを、必要に応じて、適宜取付けることが好ましい。
また、当該液晶パネル２００は、用途に応じて、パッシブマトリクス型構造のかわりに、反射半透過方式のアクティブマトリクス型構造、例えば、ＴＦＤ（Ｔｈｉｎ　Ｆｉｌｍ　Ｄｉｏｄｅ）やＴＦＴ（Ｔｈｉｎ　Ｆｉｌｍ　Ｔｒａｎｓｉｓｔｏｒ）等のアクティブ素子（能動素子）を用いた液晶パネルであっても良い。
【００２２】
（１）セル構造
図５に示すように、液晶パネル２００は、ガラス板や合成樹脂板等からなる透明な第１の基板２１１を基体とする電気光学装置、すなわち、カラーフィルタ基板２１０と、これに対向して、実質的に同様の構成を有する第２の基板２２１を基体とする対向基板２２０とが、接着剤等のシール材２３０を介して貼り合わせられていることが好ましい。そして、カラーフィルタ基板２１０と、対向基板２２０とが形成する空間であって、シール材２３０の内側部分に対して、開口部２３０ａを介して液晶材料２３２を注入した後、封止材２３１にて封止されてなるセル構造を備えていることが好ましい。
【００２３】
（２）配線
▲１▼マトリクス
第１の基板２１１の内面（第２の基板２２１に対向する表面）上に、並列した複数のストライプ状の透明電極２１６を形成し、第２の基板２２１の内面上には、当該透明電極２１６に直交する方向に並列した、複数のストライプ状の透明電極２２２を形成することが好ましい。また、透明電極２１６を、配線２１８Ａに対して導電接続するとともに、もう一方の透明電極２２２を、配線２２８に対して導電接続することが好ましい。
そして、透明電極２１６と透明電極２２２とは相互に直交するため、その交差領域がマトリクス状に配列された多数の画素を構成し、これら多数の画素の配列が、全体として液晶表示領域Ａを構成することになる。
【００２４】
▲２▼入力端子部
また、第１の基板２１１は、第２の基板２２１の外形よりも外側に張り出してなる基板張出部２１０Ｔを有し、この基板張出部２１０Ｔ上には、配線２１８Ａ、配線２２８に対して、シール材２３０の一部で構成される上下導通部を介して導電接続された配線２１８Ｂ、および、独立して形成された複数の配線パターンからなる入力端子部２１９が形成されていることが好ましい。
また、基板張出部２１０Ｔ上には、これら配線２１８Ａ、２１８Ｂおよび入力端子部２１９に対して導電接続されるように、液晶駆動回路等を内蔵した半導体素子（ＩＣチップ）２６１が実装されていることが好ましい。
さらに、基板張出部２１０Ｔの端部には、入力端子部２１９に導電接続されるように、フレキシブル配線基板２６３が実装されていることが好ましい。
【００２５】
（３）位相差板および偏光板
本発明に係る電気光学装置においては、図５に示される液晶パネル２００において、図６に示すように、第１の基板２１１の外面および第２の基板２２１の外面の、複数の画像表示部に対応した位置に、位相差板（１／４波長板）および複数の偏光板が配置されていることを特徴とする。
【００２６】
▲１▼表裏配置
図１および図２に示すように、第１の表示部１５に対応する電気光学素子の表側に第１の偏光子１２、裏側に第２の偏光子２２をそれぞれ設けるとともに、第２の表示部２５に対応する電気光学素子の表側に第１の偏光子２１、裏側に第２の偏光子１０をそれぞれ設けることを特徴としている。
この理由は、このように構成することにより、複数の画像表示部を有する両面表示方式の電気光学装置を、１つの電気光学素子から得ることができるとともに、得られる電気光学装置の薄型化を図ることができるためである。
【００２７】
▲２▼遮光部材
また、図１および図２に示すように、電気光学素子における第１の表示部１５の表側に設けられた第１の偏光子１２と、第２の表示部２５の裏側に設けられた第２の偏光子１０との間隙１１、あるいは、電気光学素子における第１の表示部１５の裏側に設けられた第２の偏光子２２と、第２の表示部２５の表側に設けられた第１の偏光子２１との間隙１１を、遮光部材１３によって遮光することを特徴としている。
この理由は、このように構成することにより、第１の表示部１５や第２の表示部２５の背面側にそれぞれ設けられたバックライト等の照明装置（図示せず）から、複数の偏光子１０、１２あるいは複数の偏光子２１、２２の間隙１１を介してそれぞれ光が侵入することを防止でき、ひいては、得られる画像のコントラストや画像視覚性を高めることができるためである。
ここで、遮光部材としては、図３に示すように、表示部に対応した箇所に開口部３２、３４を有するとともに、表示部の周囲を一体的に覆う面状物３０であることが好ましい。図３に示す面状物３０の例では、二つの開口部３２、３４を有しており、それぞれが液晶表示装置の二つの画像表示部に対応したものであることが好ましい。そして、二つの開口部３２、３４の間に設けてある連結部３３によって、液晶表示装置の表側および裏側にそれぞれ設けられたバックライト等の照明装置から、複数の偏光子の間隙を介して光が侵入することを有効に防止することができる。
【００２８】
▲３▼間隙
また、電気光学素子における第１の表示部１５の表側に設けられた第１の偏光子１２と、第２の表示部２５の裏側に設けられた第２の偏光子１０との間隙１１、あるいは、電気光学素子における第１の表示部１５の裏側に設けられた第２の偏光子２２と、第２の表示部２５の表側に設けられた第１の偏光子２１との間隙１１の幅を０．５〜２０ｍｍの範囲内の値とすることが好ましい。
この理由は、このように構成することにより、偏光子の間隙からの光の侵入を効率的に防止することができ、ひいては、得られる画像のコントラストや画像視覚性を高めることができるためである。
【００２９】
また、電気光学素子における第１の表示部１５の表側に設けられた第１の偏光子１２および、第２の表示部２５の裏側に設けられた第２の偏光子１０の間隙１１の幅と、電気光学素子における第１の表示部１５の裏側に設けられた第２の偏光子２２および、第２の表示部２５の表側に設けられた第１の偏光子２１の間隙１１の幅を、それぞれ異ならしめることも好ましい。
この理由は、このように構成することにより、得られる電気光学装置を搭載する電子機器の形態に対応して、表示位置の調整をすることができるためである。また、このように構成することにより、偏光子の間隙からの光の侵入をさらに効率的に防止することができる場合があるためである。
【００３０】
▲４▼遮光部材
また、図４（ｂ）に示すように、一体的な電気光学素子、すなわち液晶表示素子１７の内部において、液晶表示素子１７の表側および裏側にそれぞれ設けられた第１の偏光子１０、２２と、第２の偏光子１２、２０との間隙に対応する位置に、遮光部材４２を設けることが好ましい。
この理由は、このように構成することにより、偏光子の間隙からの光の侵入を防止することができ、ひいては、得られる画像のコントラストや画像視覚性を高めることができるためである。
【００３１】
▲５▼厚さ
また、電気光学素子の表側および裏側にそれぞれ設けられた第１の偏光子と、第２の偏光子の厚さを実質的に等しくすることが好ましい。
この理由は、このように構成することにより、偏光子の間隙からの光の侵入を効率的に防止することができ、ひいては、得られる画像のコントラストや画像視覚性を高めることができるためである。
【００３２】
また、電気光学素子の表側および裏側にそれぞれ設けられた第１の偏光子または、第２の偏光子の厚さをそれぞれ異ならせることが好ましい。
この理由は、このように構成することにより、得られる電気光学装置を搭載する電子機器の形態に対応して、各画像表示部の表面位置の調整をすることができるためである。
【００３３】
２．カラーフィルタ基板
次いで、図５〜図７を適宜参照しながら、本発明の第１の電気光学装置用基板としての構造的特徴や動作を、液晶表示装置に使用されるカラーフィルタ基板２１０を例に採って詳細に説明する。
【００３４】
（１）基本的構成
カラーフィルタ基板２１０は、図６に示すように、基本的に、ガラス基板２１０と、着色層２１４と、透明電極２１６と、配向膜２１７と、から構成してあることが好ましい。
また、カラーフィルタ基板２１０において、反射機能が必要な場合、例えば、携帯電話等に使用される反射半透過型の液晶表示装置においては、ガラス基板２１０と、着色層２１４との間に、図６に示すように、反射層２１２を設けることが好ましい。
さらに、カラーフィルタ基板２１０において、図６に示すように、その表面を保護するための表面保護層３１５や、平坦化するための平坦化層や、あるいは電気絶縁性を向上させるための絶縁層等を設けることも好ましい。
【００３５】
（２）反射層
図５および図６に示すように、第１の基板２１１の表面には、反射層２１２が形成されている。この反射層２１２は、アルミニウム、アルミニウム合金、クロム、クロム合金、銀、銀合金などからなる金属薄膜と、反射基部とから構成することが好ましい。また、反射層２１２には、画素毎に、反射面を有する反射部２１２ｒと、開口部２１２ａとが設けられていることが好ましい。
そして、反射層２１２の上には、画素毎に着色層２１４が形成され、その上をアクリル樹脂やエポキシ樹脂などの透明樹脂からなる表面保護層（オーバーコート層）３１５が被覆していることが好ましい。この着色層２１４と表面保護層３１５とによってカラーフィルタが形成されることになる。
【００３６】
また、反射層の構成としては、基材の表面に独立して形成された複数の凸部を有する第１の反射基部と、その上に形成された比較的なだらかな表面状態を有する連続層からなる第２の反射基部と、さらにその上に形成された金属薄膜からなる反射膜と、を含むことが好ましい。
【００３７】
（３）着色層
▲１▼構成
また、図５および図６に示す着色層２１４は、通常、透明樹脂中に顔料や染料等の着色材を分散させて所定の色調を呈するものとされている。着色層の色調の一例としては原色系フィルタとしてＲ（赤）、Ｇ（緑）、Ｂ（青）の３色の組合せからなるものがあるが、これに限定されるものではなく、Ｙ（イエロー）、Ｍ（マゼンダ）、Ｃ（シアン）等の補色系や、その他の種々の色調で形成することができる。
通常、基板表面上に顔料や染料等の着色材を含む感光性樹脂からなる着色レジストを塗布し、フォトリソグラフィ法によって不要部分を除去することによって、所定のカラーパターンを有する着色層を形成する。ここで、複数の色調の着色層を形成する場合には上記工程を繰り返すことになる。
【００３８】
▲２▼遮光膜
また、図５に示すように、画素毎に形成された着色層２１４の間の画素間領域に、ブラックマトリクス（黒色遮光膜あるいはブラックマスクと称する場合がある。）２１４ＢＭが形成してあることが好ましい。
このブラックマトリクス２１４ＢＭとしては、例えば黒色顔料や黒色染料等の着色材を樹脂その他の基材中に分散させたものや、Ｒ（赤）、Ｇ（緑）、Ｂ（青）の３色の着色材を共に樹脂その他の基材中に分散させたものなどを用いることができる。
【００３９】
▲３▼配列パターン
また、着色層の配列パターンとして、ストライプ配列や、斜めモザイク配列、あるいはデルタ配列等の種々のパターン形状を採用することができる。
【００４０】
（５）表面保護層
図６に示すように、着色層２１４上に、表面保護層３１５が設けてあることが好ましい。このように表面保護層３１５を設けることにより、着色層２１４自体、ひいては着色層２１４を含むカラーフィルタ基板２１０の耐久性や耐熱性等を著しく向上させることができる。
また、画素毎に、反射層２１２の開口部２１２ａの直上領域（開口部２１２ａと平面的に重なる領域）に、表面保護層３１５の開口部３１５ａが形成されていることが好ましい。この理由は、このように表面保護層３１５を構成することにより、透過光の吸収を効果的に防止し、十分な光量を確保することができるためである。
したがって、表面保護層３１５の開口部３１５ａが形成されている場合には、着色層２１４の表面が、その開口部３１５ａを通して、上層構造に対して露出した状態となっている。
【００４１】
（６）透明電極および配向膜
図６に示すように、表面保護層３１５の上には、ＩＴＯ（インジウムスズ酸化物）等の透明導電体からなる透明電極２１６を形成することが好ましい。かかる透明電極２１６は、図６（ｂ）において、上下方向に伸びる帯状に形成されているが、複数の透明電極２１６が並列したストライプ状に構成されていることが好ましい。
また、透明電極２１６の上には、ポリイミド樹脂等からなる配向膜２１７が形成されていることが好ましい。
この理由は、このように配向膜２１７を設けることにより、カラーフィルタ基板２１０を液晶表示装置等に使用した場合に、液晶材料の電圧駆動を容易に実施することができるためである。
【００４２】
（７）対向基板
また、図５および図７に示すカラーフィルタ基板２１０と対向する対向基板２２０は、ガラス等からなる第２の基板２２１上に、第１の基板と同様の透明電極２２２、ＳｉＯ２やＴｉＯ２などからなる硬質保護膜２２３や配向膜２２４を順次積層させたものであることが好ましい。
なお、このカラーフィルタ基板２１０の例では、着色層が第１の基板に設けてあるが、着色層を、かかる対向基板２２０の第２の基板２２１上に設けることも好ましい。
【００４３】
（８）液晶層
図５および図７に示すように、上記のように構成されたカラーフィルタ基板２１０と対向基板２２０との間に液晶材料２３２が充填されている。このとき、カラーフィルタ基板２１０の内面上には画素毎に凹部２１５が形成されているので、液晶材料２３２は、この凹部２１５内に入り込んだ状態（すなわち、上記表面保護層３１５の開口部３１５ａの内側に入り込んだ状態）に構成される。このため、液晶層２３２の厚さは、表面保護層３１５の開口部３１５ａの形成された領域（すなわち、反射層２１２の開口部２１２ａの形成された領域）において、それ以外の領域（すなわち反射部２１２ｒの形成された領域）に較べて厚く構成されることとなる。
【００４４】
（９）光源
▲１▼構成
また、光源としては、エレクトロルミネッセンス素子または発光ダイオードであることが好ましい。
この理由は、このように構成することにより、光源からの光が各画像表示部まで確実に届くために、各画像表示部において、画像の明るさを確保することができるためである。
【００４５】
▲２▼配置
また、本発明の両面表示方式の電気光学装置を構成するにあたり、第１の表示部および第２の表示部に対応する電気光学素子の裏側にそれぞれ設けてある光源のいずれか一方を、除去するか、あるいは点灯しないことが好ましい。
この理由は、このように構成することにより、例えば昼間などの明るい場所においては、光源を必要とすることなく画像を見ることができ、そのような場合に、偏光子の間隙からの光の侵入を効率的に防止することができるためである。
【００４６】
▲３▼遮光部材
また、光源の側方においても、遮光部材が設けてあることが好ましい。この理由は、このように構成することにより、光源自体からの光漏れを防止することができ、得られる画像のコントラストや画像視覚性を高めることができるためである。
【００４７】
（１０）具体例
また、上述した実施形態では、電気光学装置として、液晶装置に適用した場合について説明したが、本発明はこれに限定されず、エレクトロルミネッセンス装置、特に、有機エレクトロルミネッセンス装置、無機エレクトロルミネッセンス装置等や、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター、デジタルマイクロミラーデバイス（ＤＭＤ）を用いた装置などの各種の電気光学装置に適用できる。
【００４８】
［第２実施形態］
次いで、図８（ａ）〜（ｅ）および図９を参照して、本発明に係る電気光学装置の製造方法の実施形態について詳細に説明する。本実施形態において製造する電気光学装置は、図９に示す液晶パネル２００を備えたものである。
【００４９】
１．構成
まず、図８を参照して、図９に示す液晶パネル２００の概略構造について説明する。図８は、図９に示す液晶パネル２００における半導体素子（ＩＣチップ）およびフレキシブル配線基板の実装前の状態を模式的に図示するものであり、図面上、寸法は図示の都合上適宜に調整し、構成要素も適宜に省略してある。
また、液晶パネル２００は、第１基板２１１上に上記反射層２１２、着色層２１４、表面保護層３１５の積層構造の上に透明電極２１６が形成されたカラーフィルタ基板２１０と、これに対向する対向基板２２０とがシール材２３０にて貼り合わされ、内部に液晶材料２３２が配置されたものである。この透明電極２１６は上述のように配線２１８Ａに接続され、この配線２１８Ａがシール材２３０と第１基板２１１との間を通過して基板張出部２１０Ｔの表面上に引き出されている。また、基板張出部２１０Ｔ上には入力端子部２１９もまた形成されている。
さらに、カラーフィルタ基板２１０および対向基板２２０それぞれの外面に、複数の画像表示部のそれぞれの表側および裏側に対応した位置に、複数の偏光子が設けられ、それぞれの基板の外面における複数の偏光子の間隙が、遮光部材によって遮光されている。
【００５０】
２．カラーフィルタ基板の製造工程
（１）着色層の形成
図８（ａ）に示すように、第１基板２１１上には、図５に示す液晶表示領域Ａに相当する領域に、上記の反射層２１２、ブラックマトリクス２１４ＢＭ、および位置調整層２１３を順次形成する。
ここで、開口部２１２ａを備えた反射層２１２は、蒸着法やスパッタリング法にて金属材料等を基板上に被着させた後、フォトリソグラフィ技術およびエッチング法を用いてパターニングすることにより形成される。また、ブラックマトリクス２１４ＢＭは、顔料や染料等の着色材を分散させた透明樹脂等からなる感光性樹脂を塗布し、これにパターン露光、現像処理を順次施すことによって形成する。さらに、位置調整層２１３は、透明樹脂等からなる感光性樹脂を部分的または全面的に塗布し、これにパターン露光、現像処理を順次施すことによって、所定場所に形成することが好ましい。
また、着色層２１４についても、顔料や染料等の着色材を分散させた透明樹脂等からなる感光性樹脂を、位置調整層２１３等の上に塗布し、これにパターン露光、現像処理を順次施すことによって形成することができる。
なお、複数の色の着色層２１４を配列形成する場合には、色毎に上記工程を繰り返すことになる。
【００５１】
（２）透光保護層の形成
次いで、図８（ｂ）に示すように、第１基板２１１上に全面的に透光保護層２１５Ｘを形成する。この透光保護層２１５Ｘは、例えば、アクリル樹脂、エポキシ樹脂、イミド樹脂、フッ素樹脂などで構成することができる。これらの樹脂は流動性を有する未硬化状態で基板上に塗布され、乾燥、光硬化、熱硬化などの適宜の手段で硬化される。塗布方法としては、スピンコート法や印刷法などを用いることができる。
次いで、上記透光保護層２１５Ｘにフォトリソグラフィ技術およびエッチング法を用いてパターニングを施し、図８（ｃ）に示すように、液晶表示領域Ａに限定された表面保護層３１５を形成する。このとき、これと同時に表面保護層３１５には開口部２１５ａが形成される。この工程によって、透光保護層２１５Ｘから液晶表示領域Ａ以外の領域Ｂ、すなわち、図９に示すシール材２３０の外側に配置される領域（基板張出部２１０Ｔを含む。）とほぼ同じ領域上から透光性素材が除去される。
【００５２】
（３）透明導電層の形成
次いで、図８（ｄ）に示すように、基板上に全面的にＩＴＯ（インジウムスズ酸化物）等の透明導電体からなる透明導電層２１６Ｘを形成する。この透明導電層２１６Ｘはスパッタリング法により成膜できる。そして、この透明導電層２１６Ｘに対してフォトリソグラフィ技術およびエッチング法を用いてパターニングを施し、図８（ｅ）に示すように透明電極２１６、配線２１８Ａ、入力端子部２１９を一度に形成する。
【００５３】
（４）偏光板（偏光子）の配置
次いで、図８（ｅ）に示すように、カラーフィルタ基板の外面の、第１の表示部に対応する位置に第１の偏光子、第２の表示部に対応する位置に第２の偏光子をそれぞれ形成する。
なお、対向基板の外面の、第１の表示部に対応する位置に第２の偏光子、第２の表示部に対応する位置に第１の偏光子をそれぞれ形成することにより、両面表示方式の液晶表示装置を提供することができる。
【００５４】
（５）遮光層の形成
最後に、図８（ｅ）に示すように、カラーフィルタ基板にそれぞれ設けられた第１の偏光板と、第２の偏光板との間隙、あるいはいずれか一方の間隙を、遮光することが好ましい。
このように構成することにより、複数の画像表示部における画像の明るさを確保するとともに、一対の偏光子の間隙からの光の侵入を効率的に防止することができ、優れたコントラストや画像視覚性を有する両面表示方式の携帯電話機を効率的に提供することができる。
【００５５】
［第３実施形態］
本発明に係る第３実施形態としての電気光学装置を、電子機器における表示装置として用いた場合について具体的に説明する。
【００５６】
（１）電子機器の概要
図１０は、本実施形態の電子機器の全体構成を示す概略構成図である。この電子機器は、液晶パネル２００と、これを制御するための制御手段１２００とを有している。また、図１０中では、液晶パネル２００を、パネル構造体２００Ａと、半導体素子（ＩＣチップ）等で構成される駆動回路２００Ｂと、に概念的に分けて描いてある。また、制御手段１２００は、表示情報出力源１２１０と、表示処理回路１２２０と、電源回路１２３０と、タイミングジェネレータ１２４０とを有することが好ましい。
また、表示情報出力源１２１０は、ＲＯＭ（Ｒｅａｄ　Ｏｎｌｙ　Ｍｅｍｏｒｙ）やＲＡＭ（Ｒａｎｄｏｍ　Ａｃｃｅｓｓ　Ｍｅｍｏｒｙ）等からなるメモリと、磁気記録ディスクや光記録ディスク等からなるストレージユニットと、デジタル画像信号を同調出力する同調回路とを備え、タイミングジェネレータ１２４０によって生成された各種のクロック信号に基づいて、所定フォーマットの画像信号等の形で表示情報を表示情報処理回路１２２０に供給するように構成されていることが好ましい。
【００５７】
また、表示情報処理回路１２２０は、シリアル−パラレル変換回路、増幅・反転回路、ローテーション回路、ガンマ補正回路、クランプ回路等の周知の各種回路を備え、入力した表示情報の処理を実行して、その画像情報をクロック信号ＣＬＫと共に駆動回路２００Ｂへ供給することが好ましい。そして、駆動回路２００Ｂは、走査線駆動回路、データ線駆動回路および検査回路を含むことが好ましい。また、電源回路１２３０は、上述の各構成要素にそれぞれ所定の電圧を供給する機能を有している。
【００５８】
（２）モバイル型コンピュータ
また、本発明に係る電気光学装置（液晶表示装置）を、モバイル型のパーソナルコンピュータ（いわゆる携帯型パーソナルコンピュータ）の表示部に適用した電子機器例について説明する。
図１１（ａ）および（ｂ）は、それぞれパーソナルコンピュータの構成を裏表から示す斜視図である。かかる図１１（ａ）に示すように、パーソナルコンピュータ１６１は、キーボード１６２を備えた本体部１６３と、本発明に係る液晶表示装置１６０を用いた表示部１６５とを備えている。かかる表示部１６５には、第１の画像表示部の窓部に対応してプラスチックの保護板が配設されるとともに、第２の画像表示部の窓部においても、プラスチックの保護板が配設されており、筐体１６６によって、本発明に係る液晶表示装置１６０が収容された構成となっている。より詳細には、液晶表示装置１６０は、その第１の画像表示部１５の観察側の基板面が保護板と近接するとともに、第２の画像表示部の観察側の基板面が保護板と近接するように、筐体１６６に収容されている。一方、図１１（ｂ）に示すように、第２の画像表示部２５がパーソナルコンピュータ１６１の背面側に設けられている。
そして、第１の表示部に対応する液晶表示装置の表側に第１の偏光板、裏側に第２の偏光板をそれぞれ設けるとともに、第２の表示部に対応する液晶表示装置の表側に第２の偏光板、裏側に第１の偏光板をそれぞれ設け、かつ、液晶表示装置の表側および裏側にそれぞれ設けられた第１の偏光板と、第２の偏光板との間隙、あるいはいずれか一方の間隙を、遮光することにより、複数の画像表示部における画像の明るさを確保するとともに、一対の偏光子の間隙からの光の侵入を効率的に防止することができ、優れたコントラストや画像視覚性を有する両面表示方式のパーソナルコンピュータを効率的に提供することができる。
【００５９】
（３）携帯電話機
次いで、本発明に係る電気光学装置としての液晶表示装置を、携帯電話機の表示部に適用した例について説明する。
図１２（ａ）および（ｂ）は、この携帯電話機の構成を示す斜視図である。図１２（ａ）に示すように、携帯電話機１７０は、複数の操作ボタン１７１のほか、受話口１７２、送話口１７３とともに、本発明に係る液晶表示装置１８０を用いた表示部１７５を備えている。この携帯電話機１７０においては、第１の画像表示部の窓部に対応してプラスチックの保護板（図示せず）が配設されているとともに、第２の画像表示部の窓部にも、プラスチックの保護板（図示せず）が配設されている。そして、筐体１７６によって、本発明に係る液晶表示装置１８０が収容された構成となっている。なお、携帯電話機１７０においても、液晶表示装置１８０は、その第１の画像表示部の観察側の基板面が保護板に近接するとともに、第２の画像表示部の観察側の基板面が保護板に近接するように、筐体１７６に収容されている。一方、図１２（ｂ）に示すように、第２の画像表示部２５が携帯電話機１７０の背面側に設けられている。
そして、第１の表示部に対応する液晶表示装置の表側に第１の偏光板、裏側に第２の偏光板をそれぞれ設けるとともに、第２の表示部に対応する液晶表示装置の表側に第２の偏光板、裏側に第１の偏光板をそれぞれ設け、かつ、液晶表示装置の表側および裏側にそれぞれ設けられた第１の偏光板と、第２の偏光板との間隙、あるいはいずれか一方の間隙を、遮光することにより、複数の画像表示部における画像の明るさを確保するとともに、一対の偏光子の間隙からの光の侵入を効率的に防止することができ、優れたコントラストや画像視覚性を有する両面表示方式の携帯電話機を効率的に提供することができる。
【００６０】
（４）他の電子機器
本発明に係る電気光学装置としての液晶表示装置を適用可能な電子機器としては、図１１に示したパーソナルコンピュータや、図１２に示した携帯電話機のほかにも、液晶テレビ、ビューファインダ型・モニタ直視型のビデオテープレコーダ、カーナビゲーション装置、ページャ、電気泳動装置、電子手帳、電卓、ワードプロセッサ、ワークステーション、テレビ電話、ＰＯＳ端末、タッチパネルを備えた電子機器などが挙げられる。
【００６１】
さらに、本発明の電気光学装置および電子機器は、上述の図示例にのみ限定されるものではなく、本発明の要旨を逸脱しない範囲内において種々変更を加え得ることは勿論である。例えば、上記各実施形態に示す液晶パネルは単純マトリクス型の構造を備えているが、ＴＦＴ（薄膜トランジスタ）やＴＦＤ（薄膜ダイオード）等のアクティブ素子（能動素子）を用いたアクティブマトリクス方式の電気光学装置にも適用することができる。
また、上記実施形態の液晶パネルは所謂ＣＯＧタイプの構造を有しているが、ＩＣチップを直接実装する構造ではない液晶パネル、例えば液晶パネルにフレキシブル配線基板やＴＡＢ基板を接続するように構成されたものであっても構わない。
【００６２】
【発明の効果】
以上説明したように、本発明の電気光学装置によれば、第１の表示部に対応する電気光学素子の表側に第１の偏光子、裏側に第２の偏光子をそれぞれ設けるとともに、第２の表示部に対応する電気光学素子の表側に第２の偏光子、裏側に第１の偏光子をそれぞれ設け、かつ、電気光学素子の表側および裏側にそれぞれ設けられた第１の偏光子と、第２の偏光子との間隙、あるいはいずれか一方の間隙を、遮光することによって、複数の画像表示部における画像の明るさを確保するとともに、一対の偏光子の間隙からの光の侵入を効率的に防止することができ、優れたコントラストや画像視覚性を有する両面表示方式の電気光学装置を提供することができるようになった。
【００６３】
また、本発明の電子機器によれば、複数の画像表示部における画像の明るさを確保するとともに、コントラストや画像視覚性を高めることができるようになった。
【００６４】
【図面の簡単な説明】
【図１】（ａ）および（ｂ）は、本発明に係る第１実施形態の液晶パネルの裏表を模式的に示す平面図である。
【図２】（ａ）および（ｂ）は、本発明に係る第１実施形態の液晶パネルの向きを変えて模式的に表した断面図である。
【図３】遮光部材を模式的に表した斜視図である。
【図４】別の遮光部材を模式的に表した斜視図である。
【図５】本発明に係る第１実施形態の液晶パネルの外観を示す概略斜視図である。
【図６】（ａ）は、第１実施形態のパネル構造を示す概略断面図であり、（ｂ）は、カラーフィルタ基板を示す部分拡大平面図である。
【図７】本発明に係る第１実施形態の液晶パネルの部分拡大断面図である。
【図８】（ａ）〜（ｅ）は、本発明に係る第２実施形態の電気光学装置の製造方法に関する工程図である。
【図９】本発明に係る第２実施形態で得られる液晶パネルの部分拡大断面図である。
【図１０】本発明に係る電子機器の実施形態における構成ブロックを示す概略構成図である。
【図１１】本発明に係る電子機器の実施形態の一例としてパーソナルコンピュータの外観を示す斜視図である。
【図１２】本発明に係る電子機器の実施形態の一例として携帯電話の外観を示す斜視図である。
【図１３】従来の両面表示方式の液晶パネルの構造を模式的に示す断面図である（その１）。
【図１４】従来の両面表示方式の液晶パネルの構造を模式的に示す断面図である（その２）。
【００６５】
【符号の説明】
１０：第１の偏光子
１１：間隙
１２：第２の偏光子
１３：遮光部材
１５：第１の表示部
１６：半導体素子（ＩＣチップ）
１７：液晶表示素子
１８：タブテープ
２０：第２の偏光子
２２：第１の偏光子
２３：遮光部材
２５：第２の表示部
３０：面状遮光部材
３２・３４：開口部
３３：連結部
４０：凸状遮光部材
４２：内部遮光部材
１００：液晶表示装置
２００：液晶パネル
２１０：カラーフィルタ基板
２１１：第１基板
２１２：反射層
２１２ａ：開口部
２１２ｒ：反射部
２１３：凹部
２１４：着色層
２１５：位置調整層
２１５ａ：開口部
２１６：透明電極
２２０：対向基板
２２１：第２基板
２２２：透明電極
３１５：表面保護層
３１５ａ：開口部
【図１】
2004109817.tif 000003
【図２】
2004109817.tif 000004
【図３】
2004109817.tif 000005
【図４】
2004109817.tif 000006
【図５】
2004109817.tif 000007
【図６】
2004109817.tif 000008
【図７】
2004109817.tif 000009
【図８】
2004109817.tif 000010
【図９】
2004109817.tif 000011
【図１０】
2004109817.tif 000012
【図１１】
2004109817.tif 000013
【図１２】
2004109817.tif 000014
【図１３】
2004109817.tif 000015
【図１４】
2004109817.tif 000016